(57)【要約】【課題】狭ピッチコネクタに接続でき、汎用性の高いフェライトを備え、針状端子ごとにノイズ除去性能の要否を適宜変更可能としたジョイントコネクタを提供する。【解決手段】ジョイントコネクタ１は、フェライトコア１０が設けられた端子金具３と、前記端子金具３が収容されて相手方コネクタ６２と嵌合されるコネクタハウジング２と、を備える。前記端子金具３は、バスバ２８と、前記バスバ２８の長手方向に互いに間隔をあけて該バスバ２８から延長された複数本の針状端子部２９と、を備え、かつ、前記複数本の針状端子部２９が、前記相手方コネクタ６２の端子６４の端子間距離Ｐ２の整数倍の端子間距離Ｐ１で設けられている。【選択図】図２
2013025917.tif 000002
【特許請求の範囲】
【請求項１】
フェライトコアが設けられた端子金具と、前記端子金具が収容されて相手方コネクタと嵌合されるコネクタハウジングと、を備えたジョイントコネクタにおいて、
前記端子金具は、バスバと、前記バスバの長手方向に互いに間隔をあけて該バスバから延長された複数本の針状端子部と、を備え、かつ、
前記複数本の針状端子部が、前記相手方コネクタの端子の端子間距離の整数倍の端子間距離で設けられていることを特徴とするジョイントコネクタ。
【請求項２】
前記フェライトコアが、前記複数本の針状端子部ごとに分割して複数個形成され、かつ、
前記複数本の針状端子部の少なくとも一本に前記フェライトコアが設けられていることを特徴とする請求項１に記載のジョイントコネクタ。
【発明の詳細な説明】
【技術分野】
【０００１】
本発明は、ジョイントコネクタに関する。
【背景技術】
【０００２】
自動車には、ＣＡＮ（Ｃｏｎｔｒｏｌ  Ａｒｅａ  Ｎｅｔｗｏｒｋ）通信によって、制動装置やエンジンなどの状態、車両速度や故障診断等の情報を転送するためのワイヤハーネスが配索されている。この種のワイヤハーネスは、複数のサブハーネスが電気的に接続されている。サブハーネスには、回路の分岐などを行うジョイントコネクタが設けられている。
【０００３】
ジョイントコネクタは、前述したＣＡＮ通信によって前記自動車に搭載された各種電装品を制御しており、ノイズの輻射などの信号伝送に及ぼす悪影響を軽減するために、信号に重畳されるノイズを除去するフェライトが設けられている（例えば、特許文献１参照。）。
【０００４】
特許文献１に示されたジョイントコネクタは、汎用コネクタと嵌合されるコネクタハウジングと、前記コネクタハウジング内に収容されて前記他のコネクタの端子に電気的に接続される端子金具と、を備えている。端子金具は、導電性の板金から構成され、バスバと、前記バスバから延長されて前記汎用コネクタの前記端子に接続される複数本の針状端子部と、を備えている。針状端子部には、前述したフェライトが設けられている。
【先行技術文献】
【特許文献】
【０００５】
【特許文献１】特開２００８−２１８０３８号公報
【発明の概要】
【発明が解決しようとする課題】
【０００６】
前述した特許文献１に示された従来のジョイントコネクタは、十分なノイズ除去性能を発揮するフェライトの小型化設計には限界があり、端子間距離の短い狭ピッチコネクタと同一の端子間距離で針状端子部が形成された端子金具を用いた場合には、前記端子金具にフェライトを設けることができないという問題があった。
【０００７】
また、従来のジョイントコネクタは、端子間隔の広い汎用コネクタと同一の端子間距離で針状端子部が形成されて該針状端子部に十分なノイズ除去性能を発揮するフェライトが設けられた端子金具を用いた場合には、前記端子間距離と狭ピッチコネクタの端子間距離とが相違するため、該狭ピッチコネクタにジョイントコネクタを接続できないという問題があった。
【０００８】
また、従来のジョイントコネクタは、コネクタの極数毎に、専用の端子金具が形成されており、専用形状のフェライトを用意しなければならないという問題があった。
【０００９】
また、従来のジョイントコネクタは、専用形状のフェライトを必要とするため、フェライトに汎用性が無く、高価となるという問題があった。
【００１０】
また、従来のジョイントコネクタは、ノイズ除去の要否に拘わらずに、全ての針状端子部にフェライトが設けられるため、重量が増加するという問題があった。
【００１１】
また、従来のジョイントコネクタは、全ての針状端子部にフェライトが設けられるため、費用がかかるという問題があった。
【００１２】
本発明は、かかる問題を解決することを目的としている。即ち、本発明は、狭ピッチコネクタに接続でき、汎用性の高いフェライトを備え、針状端子ごとにノイズ除去性能の要否を適宜変更可能としたジョイントコネクタを提供することを目的とする。
【課題を解決するための手段】
【００１３】
前記課題を解決し目的を達成するために、請求項１に記載された発明は、フェライトコアが設けられた端子金具と、前記端子金具が収容されて相手方コネクタと嵌合されるコネクタハウジングと、を備えたジョイントコネクタにおいて、前記端子金具は、バスバと、前記バスバの長手方向に互いに間隔をあけて該バスバから延長された複数本の針状端子部と、を備え、かつ、前記複数本の針状端子部が、前記相手方コネクタの端子の端子間距離の整数倍の端子間距離で設けられていることを特徴とするジョイントコネクタである。
【００１４】
請求項２に記載された発明は、前記フェライトコアが、前記複数本の針状端子部ごとに分割して複数個形成され、かつ、前記複数本の針状端子部の少なくとも一本に前記フェライトコアが設けられていることを特徴とする請求項１に記載のジョイントコネクタである。
【発明の効果】
【００１５】
請求項１に記載された発明によれば、ジョイントコネクタは、針状端子部の端子間距離を相手方コネクタの端子間距離の整数倍で形成したため、針状端子部に十分なノイズ除去性能を発揮するフェライトコアを設けることができる。
【００１６】
また、ジョイントコネクタは、針状端子部の端子間距離を相手方コネクタの端子間距離の整数倍で形成したため、相手方コネクタと接続することができる。また、相手方コネクタが狭ピッチコネクタである場合にも接続することができる。
【００１７】
また、ジョイントコネクタは、狭ピッチコネクタにも接続できるため、汎用性が向上する。
【００１８】
請求項２に記載された発明によれば、ジョイントコネクタは、針状端子部ごとに分割したフェライトコアを該針状端子部の少なくとも一本に設けたため、相手方コネクタの端子数（極数）が異なっていても、該端子数に応じて形成された針状端子部に前記フェライトコアを設けることで対応することができる。このため、フェライトコアの汎用性が高くなり、費用を抑えることができる。
【００１９】
また、ジョイントコネクタは、針状端子部の少なくとも一本にフェライトコアを設けるため、ノイズ除去を要する針状端子部にのみフェライトコアを設けることができる。このため、フェライトコアの使用量を最低限とすることができる。
【００２０】
また、ジョイントコネクタは、フェライトコアの使用量を最低限とすることができるため、重量を軽減することができ、費用を抑えることができる。
【図面の簡単な説明】
【００２１】
【図１】本発明の第一の実施形態にかかるジョイントコネクタの斜視図である。
【図２】図１に示されたジョイントコネクタと狭ピッチコネクタとの断面図である。
【図３】図１に示されたジョイントコネクタの分解断面図である。
【図４】図１に示されたジョイントコネクタの組み立てを説明する斜視図である。
【図５】図１に示されたジョイントコネクタと狭ピッチコネクタとが連結される状態を説明する斜視図である。
【図６】本発明の第二の実施形態にかかるジョイントコネクタの断面図である。
【発明を実施するための形態】
【００２２】
以下、本発明の実施形態について、図１〜図６を参照して説明する。
（第一の実施形態）
本発明の第一の実施形態にかかるジョイントコネクタ１は、図１および図２に示すように、サブハーネス６１（図５に示す）を構成する相手方コネクタとしての狭ピッチコネクタ６２の端子に電気的に接続される端子金具３と、前記端子金具３を収容して前記狭ピッチコネクタ６２と嵌合されるコネクタハウジング２と、を備えている。
【００２３】
端子金具３は、図２および図３に示すように、導電性の板金から構成され、プレス加工等によって櫛形状に形成されている。端子金具３は、薄板状に形成されたバスバ２８と、前記バスバ２８から該バスバ２８の長手方向に対して直交する方向に延長された複数本（図示例では、６本）の針状端子部２９と、を備えている。端子金具３は、図４に示すように、該端子金具３の厚さ方向に互いに平行して設けられた端子金具３ａと端子金具３ｂとからなる。
【００２４】
バスバ２８は、図２および図３に示すように、該バスバ２８の長手方向に沿って複数個（図示例では、１０個）の孔３１が等間隔で設けられている。バスバ２８は、該バスバ２８の長手方向の両端側に、後述するインナハウジング５のバスバ収容室１２の内壁面に係合する係合突起３２が設けられている。係合突起３２は、前記針状端子部２９側に向かって突出量が徐々に増加して形成されている。
【００２５】
針状端子部２９は、前記バスバ２８の長手方向に沿って等間隔で設けられているとともに、互いに平行して設けられている。針状端子部２９は、狭ピッチコネクタ６２の端子（雄型端子）６４に嵌入しやすいように、先端部が先細形状に形成されている。針状端子部２９は、狭ピッチコネクタ６２がコネクタハウジング２と嵌合した際に、前記狭ピッチコネクタ６２の端子６４と電気的に接続される長さに形成されている。針状端子部２９は、該針状端子部２９の端子間距離Ｐ１が、狭ピッチコネクタ６２の端子６４の端子間距離Ｐ２の二倍で形成されている。
【００２６】
なお、針状端子部２９の端子間距離Ｐ１は、狭ピッチコネクタ６２の端子間距離Ｐ２の二以上の整数倍であれば良い。好ましくは、針状端子部２９と端子６４とが接続する端子数の減少を防止するために、前記針状端子部２９の端子間距離Ｐ１が狭ピッチコネクタ６２の端子間距離Ｐ２の二倍または三倍とされる。
【００２７】
コネクタハウジング２は、前記端子金具３が固定されるインナハウジング５と、前記インナハウジング５を収容するアウタハウジング４と、を備えている。コネクタハウジング２は、ポリ塩化ビニル樹脂などの絶縁性の合成樹脂により形成されている。
【００２８】
インナハウジング５は、前記端子金具３のバスバ２８が収容されて嵌合されるバスバ収容室１２と、フェライトコア１０を収容するフェライト収容室２１と、前記アウタハウジング４に係止する係止突起４０と、を備えている。
【００２９】
バスバ収容室１２は、前記端子金具３のバスバ２８の前記係合突起３２が係合する幅のスリット状に形成されている。バスバ収容室１２は、前記端子金具３の厚さ方向に平行して二つ設けられ、それぞれのバスバ収容室で端子金具３ａと端子金具３ｂとを固定する。
【００３０】
フェライト収容室２１は、前記バスバ収容室１２に連通し且つ前記端子金具３の針状端子部２９が挿通される挿通孔が設けられている。フェライト収容室２１は、前記針状端子部２９の基端部側にフェライトコア１０を配する位置に設けられている。挿通孔は、端子金具３ａの針状端子部２９のそれぞれが貫通する複数の貫通孔と、端子金具３ｂの針状端子部２９のそれぞれが貫通する複数の貫通孔と、を備え、二列に並んで開孔されて形成されている。挿通孔は、円形状に開孔され、前記端子金具３の針状端子部２９が挿通される孔径に形成されている。挿通孔は、前記針状端子部２９の一本が挿通される。
【００３１】
係止突起４０は、前記インナハウジング５の長手方向の両端側から突出して設けられている。係止突起４０は、前記端子金具３の針状端子部２９側に向かって徐々に突出量が減少して形成されている。
【００３２】
アウタハウジング４は、狭ピッチコネクタ６２と嵌合する嵌合部９と、前記インナハウジング５を収容するインナハウジング収容室３８と、前記インナハウジング５に係止する係止突起１４と、を備えている。
【００３３】
嵌合部９は、長方形状の筒状に形成されており、内周面に、狭ピッチコネクタ６２が嵌合する際の取付方向を規定するガイド部１５が形成されている。嵌合部９には、前記狭ピッチコネクタ６２に設けられた図示しない係合手段と係合する係合部が設けられている。
【００３４】
インナハウジング収容室３８は、前記嵌合部９内に連通し且つ前記端子金具３の針状端子部２９が挿通される挿通孔１８と、前記挿通孔１８の前記端子金具３のバスバ２８側の周縁部から突出された突出部１７と、を備えている。インナハウジング収容室３８は、内壁面１３が、前記インナハウジング５の外形に沿って形成されている。
【００３５】
挿通孔１８は、端子金具３ａの針状端子部２９のそれぞれが挿通する複数（図示例では、６つ）の挿通孔と、端子金具３ｂの針状端子部２９のそれぞれが挿通する複数（図示例では、６つ）の挿通と、を備え、二列に並んで開孔されて形成されている。挿通孔１８は、円形状に開孔され、前記端子金具３の針状端子部２９が挿通される孔径に形成されている。挿通孔１８は、前記針状端子部２９の一本が挿通される。
【００３６】
突出部１７は、前記挿通孔１８が貫通して円筒状に形成されている。突出部１７は、前記フェライト収容室２１に収容されたフェライトコア１０に当接あるいは近接する突出量で形成されている。このため、フェライトコア１０が、前記針状端子部２９の延長方向に移動してがたつくのが規制される。なお、突出部１７の突出量は、フェライトコア１０の寸法などに応じて適宜変更しても良い。
【００３７】
係止突起１４は、前記インナハウジング収容室３８の内側に設けられて該インナハウジング収容室３８から突出して設けられている。係止突起１４は、前記インナハウジング収容室３８の互いに対向する内壁面１３の開口部側にそれぞれ設けられている。係止突起１４は、前記開口部側に向かって徐々に突出量が減少して形成されている。
【００３８】
フェライトコア１０は、直方体形状に形成され、前記端子金具３ａ，３ｂのそれぞれの針状端子部２９が貫通する貫通孔１１が設けられている。フェライトコア１０は、高周波ノイズを除去する所謂フェライトコアとされ、公知の金属酸化物の強磁性体から構成され、公知の製法によって製造されている。
【００３９】
貫通孔１１は、端子金具３ａの針状端子部２９のそれぞれが貫通する複数（図示例では、６つ）の貫通孔と、端子金具３ｂの針状端子部２９のそれぞれが貫通する複数（図示例では、６つ）の貫通孔と、を備え、二列に並んで開孔されて形成されている。
【００４０】
次に、前述の如く構成されたジョイントコネクタ１の組立方法を説明する。
なお、ジョイントコネクタ１を構成するアウタハウジング４と、インナハウジング５と、端子金具３と、フェライトコア１０とは、予めそれぞれ製造される。
【００４１】
図４に示すように、インナハウジング５のバスバ収容室１２に端子金具３ａ，３ｂのバスバ２８を押し込んで嵌合して固定し、フェライト収容室２１にフェライトコア１０を収容する。このとき、前記端子金具３ａ，３ｂのそれぞれの針状端子部２９が前記フェライトコア１０の貫通孔１１を貫通する。
【００４２】
次いで、インナハウジング５をアウタハウジング４のインナハウジング収容室３８内に押し込む。このとき、前記端子金具３ａ，３ｂのそれぞれの針状端子部２９がアウタハウジング４の挿通孔１８を挿通し、インナハウジング５の係止突起４０とアウタハウジング４の係止突起１４とが互いに係止して、インナハウジング５をアウタハウジング４に固定する。このようにして、ジョイントコネクタ１を組み立てる。
【００４３】
組み立てられたジョイントコネクタ１は、図５に示すように、複数本（図示例では、１２本）の電線６３と該電線６３の端末に設けられた雄型の狭ピッチコネクタ６２とを備えたサブハーネス６１に接続される。このとき、ジョイントコネクタ１の端子金具３の針状端子部２９の端子間距離が、狭ピッチコネクタ６２の端子６４の端子間距離の二倍とされているため、ジョイントコネクタ１の端子金具３と狭ピッチコネクタ６２の端子６４とが電気的に接続される。
【００４４】
本実施形態によれば、ジョイントコネクタ１は、フェライトコア１０が設けられた端子金具３と、前記端子金具３が収容されて狭ピッチコネクタ６２と嵌合されるコネクタハウジング２と、を備え、前記端子金具３は、バスバ２８と、前記バスバ２８の長手方向に互いに間隔をあけて該バスバ２８から延長された複数本の針状端子部２９と、を備え、かつ、前記複数本の針状端子部２９が、前記狭ピッチコネクタ６２の端子６４の端子間距離Ｐ２の整数倍の端子間距離Ｐ１で設けられている。
【００４５】
このため、ジョイントコネクタ１は、針状端子部２９の端子間距離Ｐ１を狭ピッチコネクタ６２の端子間距離Ｐ２の整数倍で形成したため、針状端子部２９に十分なノイズ除去性能を発揮するフェライトコア１０を設けることができる。
【００４６】
また、ジョイントコネクタ１は、針状端子部２９の端子間距離Ｐ１を狭ピッチコネクタ６２の端子間距離Ｐ２の整数倍で形成したため、狭ピッチコネクタ６２と接続することができる。また、相手方コネクタ６２が端子間距離が広い汎用コネクタにも接続することができる。
【００４７】
また、ジョイントコネクタ１は、狭ピッチコネクタ６２にも汎用コネクタにも接続できるため、汎用性が向上する。
【００４８】
（第二の実施形態）
次に、本発明にかかるジョイントコネクタ１の第二の実施形態について、図６を参照して説明する。なお、前述した実施形態と同一部分には、同一の符号を付して説明を省略する。
【００４９】
ジョイントコネクタ１は、図６に示すように、コネクタハウジング２を構成するアウタハウジング４とインナハウジング５と、インナハウジング５に固定される端子金具３と、フェライトコア１０と、を備えている。
【００５０】
インナハウジング５には、端子金具３ａの針状端子部２９のそれぞれが貫通する複数（図示例では、６つ）のフェライト収容室２１と、端子金具３ｂの針状端子部２９のそれぞれが貫通する複数（図示例では、６つ）のフェライト収容室２１と、が二列に並んで設けられている。
【００５１】
複数のフェライト収容室２１には、各フェライト収容室２１同士を隔てる壁部２２が設けられている。
【００５２】
フェライトコア１０は、前記複数のフェライト収容室２１のそれぞれに収容され且つ前記端子金具３のそれぞれの針状端子部２９ごとに分割されて該針状端子部２９に貫通される複数個（図示例では、３個）の分割フェライトコア１０ａ，１０ｂ，１０ｃに形成されている。
【００５３】
分割フェライトコア１０ａ，１０ｂ，１０ｃのそれぞれには、端子金具３ａの針状端子部２９の一本が貫通する貫通孔１１と、端子金具３ｂの針状端子部２９の一本が貫通する貫通孔１１とが設けられている。
【００５４】
前述の如く構成された第二の実施形態にかかるジョイントコネクタ１は、針状端子部２９ごとに分割した分割フェライトコア１０ａ，１０ｂ，１０ｃを該針状端子部２９の少なくとも一本に設けたため、フェライトコア１０の使用量を減らすことができる。
【００５５】
本実施形態によれば、ジョイントコネクタ１は、フェライトコア１０が、複数本の針状端子部２９ごとに分割して複数個形成され、かつ、前記複数本の針状端子部２９の少なくとも一本に前記フェライトコア１０が設けられている。
【００５６】
このため、ジョイントコネクタ１は、針状端子部２９ごとに分割した分割フェライトコア１０ａ，１０ｂ，１０ｃを該針状端子部２９の少なくとも一本に設けたため、狭ピッチコネクタ６２や汎用コネクタなどの相手方コネクタの端子数が異なっていても、該端子数に応じて形成された端子金具３の針状端子部２９に前記分割フェライトコア１０ａ，１０ｂ，１０ｃを設けることで対応することができる。このため、分割フェライトコア１０ａ，１０ｂ，１０ｃの汎用性が高くなり、費用を抑えることができる。
【００５７】
また、ジョイントコネクタ１は、針状端子部２９の少なくとも一本に分割フェライトコア１０ａ，１０ｂ，１０ｃを設けるため、ノイズ除去を要する針状端子部２９にのみ分割フェライトコア１０ａ，１０ｂ，１０ｃを設けることができる。このため、分割フェライトコア１０ａ，１０ｂ，１０ｃの使用量を最低限とすることができる。
【００５８】
なお、上述した第一の実施形態および第二の実施形態で示したジョイントコネクタ１は、針状端子部２９ごとに分割フェライトコア１０ａ，１０ｂ，１０ｃを設けたり、全ての針状端子部２９に分割フェライトコア１０ａ，１０ｂ，１０ｃを設けたりしても良い。これにより、汎用品のフェライトコアを用いることができる。したがって、ジョイントコネクタ１の費用を抑えることができる。
【００５９】
なお、前述した実施形態は本発明の代表的な形態を示したに過ぎず、本発明は、実施形態に限定されるものではない。即ち、本発明の骨子を逸脱しない範囲で種々変更して実施することができる。
【符号の説明】
【００６０】
１  ジョイントコネクタ
２  コネクタハウジング
３  端子金具
１０  フェライトコア
１０ａ，１０ｂ，１０ｃ  分割フェライトコア
２８  バスバ
２９  針状端子部
６２  狭ピッチコネクタ（相手方コネクタ）
６４  端子
Ｐ１  端子間距離
Ｐ２  端子間距離
【図１】
2013025917.tif 000003
【図２】
2013025917.tif 000004
【図３】
2013025917.tif 000005
【図４】
2013025917.tif 000006
【図５】
2013025917.tif 000007
【図６】
2013025917.tif 000008